(57)【要約】 【課題】  記録媒体に記録される複数の主情報の中から、再生回数の少ない主情報を自動的に選択し、再生することができる利便性の高い再生装置を提供することである。【解決手段】  再生装置１０には、各主情報の再生回数を示す再生回数情報を記憶する再生回数記憶手段１９が設けられており、再生情報選択手段１７によって、各主情報の再生回数が、予め設定される回数と一致する主情報を自動的に選択して再生手段１２に再生させることができる。これによって記録媒体１１に記録される複数の主情報の中から、再生回数の少ない主情報を自動的に選択して再生することができる。したがって記録媒体１１に記録されているが、ほとんど再生されない主情報が存在してしまうことを防止することができ、利便性の高い再生装置を実現することができる。【選択図】      図１
2006164394.tif 000002
【特許請求の範囲】
【請求項１】
複数の主情報が記録される記録媒体から主情報を再生する再生手段と、
各主情報の再生手段による再生回数を示す再生回数情報を記憶する再生回数記憶手段と、
再生回数記憶手段に記憶される再生回数情報が示す再生回数が、予め設定される回数と一致する主情報を選択して、再生手段に再生させる再生情報選択手段とを含むことを特徴とする再生装置。
【請求項２】
基準回数を設定する基準回数設定手段を有し、
再生情報選択手段は、再生回数記憶手段に記憶される再生回数情報が示す再生回数が、基準回数設定手段によって設定される基準回数以下である主情報を選択して、再生手段に再生させることを特徴とする請求項１記載の再生装置。
【請求項３】
操作者による操作によって、回数が入力される操作手段を有し、
基準回数設定手段は、操作者による操作手段の操作によって入力される回数を基準回数として設定することを特徴とする請求項１または２記載の再生装置。
【発明の詳細な説明】
【技術分野】
【０００１】
本発明は、記録媒体に記録される主情報を再生する再生装置に関する。
【背景技術】
【０００２】
図４は、従来の技術の再生装置１を示すブロック図である。再生装置１は、記録媒体２に記録される音楽および映像である複数の主情報の中から、選択される主情報を再生する装置である。再生装置１は、記録媒体２に記録される主情報を読出して再生する再生手段３と、再生手段３によって再生された主情報をスピーカおよびディスプレイなどに与える出力手段４と、操作者が操作して再生すべき主情報を指示入力する操作手段５と、再生手段３による再生状況などを表示する表示手段６と、操作手段５によって指示入力に基づいて、再生すべき主情報を再生するように再生手段３を制御し、その再生状況を表示するように表示手段６を制御する制御手段７とを有する。この再生装置１では、記録媒体２に記録される各主情報の再生回数に関わらず、操作手段５による指示入力で選択された主情報を再生する。
【０００３】
他の従来の技術の再生装置として、たとえば特許文献１に示される再生装置がある。この特許文献１の再生装置は、基本的には図４に示される構成を有しており、制御手段７に内蔵される記憶部に、各主情報の再生回数を記憶しておき、各主情報の一覧を表示するときに、再生回数の多い主情報をハイライト表示するように構成されている。これによって頻繁に再生される主情報の選択を容易にすることができる。
【０００４】
【特許文献１】特開２００３−８５９５２号公報
【発明の開示】
【発明が解決しようとする課題】
【０００５】
図４に示す再生装置では、再生回数を考慮して再生することができないので、再生回数の少ない主情報を自動的に選択して再生できる構成ではない。また特許文献１の再生装置では、再生回数を考慮して再生することは可能であるが、一覧表示するときに、再生回数の多い主情報をハイライト表示して、操作者が選択しやすくするだけであり、再生回数の少ない主情報を自動的に選択して再生できる構成ではない。
【０００６】
ハードディスクなどの大容量記録媒体を用いる再生装置では、その記録媒体に１０００曲以上の音楽曲（主情報）を記録することが可能である。このような大記録容量を有する記録媒体を用いる場合、操作者が記録したこを忘却してしまって１回も再生されない主情報が存在することがある。このように記録されているが再生されない主情報が存在することを防ぐために、再生回数の少ない主情報を自動的に選択して再生することができる再生装置が望まれている。
【０００７】
本発明の目的は、記録媒体に記録される複数の主情報の中から、再生回数の少ない主情報を自動的に選択し、再生することができる利便性の高い再生装置を提供することである。
【課題を解決するための手段】
【０００８】
本発明は、複数の主情報が記録される記録媒体から主情報を再生する再生手段と、
各主情報の再生手段による再生回数を示す再生回数情報を記憶する再生回数記憶手段と、
再生回数記憶手段に記憶される再生回数情報が示す再生回数が、予め設定される回数と一致する主情報を選択して、再生手段に再生させる再生情報選択手段とを含むことを特徴とする再生装置である。
【０００９】
本発明に従えば、再生装置では、複数の主情報が記録される記録媒体から、再生手段によって主情報を読出して再生することができる。再生装置には、各主情報の再生回数を示す再生回数情報を記憶する再生回数記憶手段が設けられており、再生情報選択手段によって、各主情報の再生回数が、予め設定される回数と一致する主情報を自動的に選択して再生手段に再生させることができる。これによって記録媒体に記録される複数の主情報の中から、再生回数の少ない主情報、換言すれば再生頻度の低い主情報を自動的に選出して再生することができる。したがって記録媒体に記録されているが、ほとんど再生されない主情報が存在してしまうことを防止することができる。このように利便性の高い再生装置を実現することができる。
【００１０】
また本発明は、基準回数を設定する基準回数設定手段を有し、
再生情報選択手段は、再生回数記憶手段に記憶される再生回数情報が示す再生回数が、基準回数設定手段によって設定される基準回数以下である主情報を選択して、再生手段に再生させることを特徴とする。
【００１１】
本発明に従えば、基準回数設定手段によって基準回数を設定するこができ、再生情報選択手段によって、再生回数が基準回数以下である主情報を自動的に選択して、再生手段に再生させることができる。これによって記録媒体に記録される複数の主情報の中から、再生回数の少ない主情報を自動的に選択して再生する装置を実現することができる。
【００１２】
また本発明は、操作者による操作によって、回数が入力される操作手段を有し、
基準回数設定手段は、操作者による操作手段の操作によって入力される回数を基準回数として設定することを特徴とする。
【００１３】
本発明に従えば、操作者による操作手段の操作によって回数が入力され、基準回数設定手段によって、操作者による操作手段の操作によって入力される回数が、基準回数として設定される。したがって操作者が、任意に基準回数を設定することができ、再生回数がその基準回数以下の主情報を自動的に選択して再生させることができる。このように操作者の意図を反映させることができ、利便性を高くすることができる。
【発明の効果】
【００１４】
本発明によれば、再生装置には、各主情報の再生回数を示す再生回数情報を記憶する再生回数記憶手段が設けられており、再生情報選択手段によって、各主情報の再生回数が、予め設定される回数と一致する主情報を自動的に選択して再生手段に再生させることができる。これによって記録媒体に記録される複数の主情報の中から、再生回数の少ない主情報を自動的に選択して再生することができる。したがって記録媒体に記録されているが、ほとんど再生されない主情報が存在してしまうことを防止することができ、利便性の高い再生装置を実現することができる。
【００１５】
また本発明によれば、基準回数設定手段によって基準回数を設定するこができ、再生情報選択手段によって、再生回数が基準回数以下である主情報を自動的に選択して、再生手段に再生させることができる。これによって記録媒体に記録される複数の主情報の中から、再生回数の少ない主情報を自動的に選択して再生する装置を実現することができ、利便性の高い再生装置を実現することができる。
【００１６】
また本発明によれば、基準回数設定手段によって、操作者による操作手段の操作によって入力される回数が、基準回数として設定される。したがって操作者が、任意に基準回数を設定することができ、再生回数がその基準回数以下の主情報を自動的に選択して再生させることができる。このように操作者の意図を反映させることができ、利便性を高くすることができる。
【発明を実施するための最良の形態】
【００１７】
図１は、本発明の実施の一形態である再生装置１０を示すブロック図である。再生装置１０は、記録媒体１１に記録される主情報を読出して再生する再生手段１２と、再生手段１２によって再生された主情報をスピーカおよびディスプレイなどに与える出力手段１３と、操作者が操作して再生すべき主情報を指示入力し、また操作者が基準回数を入力する操作手段１４と、再生手段１２による再生状況などを表示する表示手段１５と、操作手段１４によって指示入力に基づいて、再生すべき主情報を再生するように再生手段１２を制御し、その再生状況を表示するように表示手段１５を制御する制御手段１６とを有する。
【００１８】
記録媒体１１は、たとえばコンパクトディスク（Compact Disk；略称ＣＤ）、ミニディスク（Mini Disk；略称ＭＤ）、デジタルバーサタイルディスク（Digital Versatile
Disk；略称ＤＶＤ）およびハードディスクなどの大容量記録媒体によって実現される。本実施の形態では、ハードディスクなどの大容量記録媒体が用いられる。また記録媒体１１には、再生される複数の主情報と、この主情報を個別的に識別するための副情報とが対応して記録される。たとえば主情報は、音楽および映像である情報を含み、副情報は、識別番号ならびに主情報を把握するのに役立つ主情報の題名、作者名および歌手名などを含む。本実施の形態では、記録媒体１１には、主情報として複数の音楽曲が記録され、副情報として識別番号が記録される。また記録媒体１１には、主情報の内容を把握することに役立つ音楽曲の題名、作者名および歌手名などが記録されてもよい。
【００１９】
制御手段１６は、記録媒体１１、再生手段１２、操作手段１４および表示手段１５を制御する手段であり、たとえば中央演算処理ユニット（ＣＰＵ）によって実現される。制御手段１６は、再生情報選択手段１７と、基準回数設定手段１８と、再生回数記憶手段１９とを有する。基準回数設定手段１８は、操作手段１４による操作入力に基づいて、その情報を設定する。具体的には、操作手段１４が操作されて、操作者によって基準回数が入力されると、その基準回数を操作手段１４から受取り、その基準回数を設定する。再生回数記憶手段１９は、再生回数を１つ増加し、記憶する。ここで再生回数とは、主情報が再生された回数をいう。具体的には、再生手段１２によって記録媒体１１に記録される音楽曲が読出され、再生されると、再生回数記憶手段１９は、その再生される音楽曲に対応する再生回数を示す再生回数情報を再生回数記憶手段１９から読出し、その再生回数を１つ増加する。１つ増加された再生回数は、増加される前の再生回数と置き換えて、再生回数記憶手段１９に記憶される。再生情報選択手段１７は、基準回数設定手段１８によって設定される基準回数の情報と、再生回数記憶手段１９に記憶される再生回数を示す再生回数情報を読出し、これらの情報を比較する。具体的には、操作手段１４が操作されて、操作手段１４に基準回数が入力され、基準回数設定手段１８によってその基準回数が設定されると、その基準回数の情報と、再生回数記憶手段１９に記憶される再生回数を示す再生回数情報とを読出し、これらの情報を比較する。比較した結果が、所定の条件を満たす場合、具体的には再生回数が基準回数以下の場合には、制御手段１６から再生手段１２に、所定の条件を満たす再生回数に対応する音楽曲の再生指示を表す情報が与えられる。そして再生手段１２によって、再生指示の対象となる音楽曲が記録媒体１１から読出され、再生される。
【００２０】
このような再生装置１０は、操作手段１４の操作に基づいて、記録媒体１１に記録される音楽曲を、再生手段１２によって再生することができる。さらに具体的には、制御手段１６は、表示手段１５に音楽曲を選択することを補助する情報を表示させ、この表示を利用して、操作者は、操作手段１４に再生希望の音楽曲の再生指示を表す情報を入力する。操作手段１４にその再生指示を表す情報が入力されると、制御手段１６が、その情報を操作手段１４から受取り、再生手段１２に与える。再生手段１２は、制御手段１６から与えられる再生指示を表す情報に基づいて、再生対象の音楽曲を、記録媒体１１から読出し、再生する。また制御手段１６は、表示手段１５に基準回数を設定することを補助する情報を表示させ、この表示を利用して、操作者は、操作手段１４に基準回数を入力する。操作手段１４にその基準回数が入力されると、制御手段１６が、その基準回数を操作手段１４から受取る。具体的には基準回数設定手段１８がその基準回数を操作手段１４から受取り、基準回数を設定する。基準回数設定手段１８によって、基準回数が設定されると、再生情報選択手段１７は、基準回数設定手段１８によって設定される基準回数の情報と、再生回数記憶手段１９に記憶される再生回数を示す再生回数情報とを読出し、これらの情報を比較する。比較の結果が、所定の条件を満たしている場合、具体的には、再生回数が再生回数が基準回数以下の場合には、その条件を満たす音楽曲の再生指示を表す情報が再生手段１２に与えられる。再生手段１２は、その再生対象の音楽曲を、記録媒体１１から読出し、再生する。
【００２１】
図２は、再生回数記憶手段１９における再生回数を１つ増加する動作および増加される再生回数を記憶する動作を示すフローチャートである。再生回数記憶手段１９における再生回数を１つ増加する動作および増加される再生回数を記憶する動作は、操作者が、記録媒体１１に記録される音楽曲の中から、再生することを希望する音楽曲を選択し、その音楽曲の再生指示を表す情報を、操作手段１４に入力した状態で開始される。まずステップｓ１では、再生指示を表す情報に対応する音楽曲が、再生手段１２によって記録媒体１１から読出され、再生される。具体的には、操作者が、再生することを希望する音楽曲を操作手段１４に複数曲入力している場合には、その入力される複数曲の中から１番初めに再生するように指示される指示情報が、制御手段１６から再生手段１２に与えられる。再生手段１２は、その指示情報に基づいて、その指示情報に対応する識別番号ｎの音楽曲を記録媒体１１から読出し、再生する。再生手段１２によって再生される音楽曲は、出力手段１３によってスピーカに与えられる。また操作者が再生することを希望する音楽曲を１つのみ入力している場合には、その１つの音楽曲が、制御手段１６から再生手段１２に与えられる。再生手段１２は、その指示情報に基づいて、その指示情報に対応する識別番号ｎの音楽曲を記録媒体１１から読出し、再生する。再生手段１２によって再生される音楽曲は、出力手段１３によってスピーカに与えられる。再生されると、ステップｓ２に進む。ステップｓ２では、ステップｓ１で再生される音楽曲に対応する再生回数Ｐｎが、再生回数記憶手段１９に記憶されている場合は、その記憶されている再生回数Ｐｎが、再生回数記憶手段１９によって読出される。ここで再生回数Ｐｎは、ゼロ以上の整数である。その読出される再生回数Ｐｎは、再生回数記憶手段１９によって、１つ増加され、ステップｓ３で、その１つ増加される再生回数Ｐｎは、増加される前に再生回数記憶手段１９に記憶されていた再生回数Ｐｎと置き換えられて、再生回数記憶手段１９に記憶される。またステップｓ２では、ステップｓ１で再生される音楽曲に対応する再生回数Ｐｎが、再生回数記憶手段１９に記憶されていない場合は、一度も再生されたことがない状態、換言すれば再生回数Ｐｎの値はゼロの状態である。したがって再生回数記憶手段１９によって、再生回数を１つ増加させ、ステップｓ３で、再生回数Ｐｎの値を１として再生回数記憶手段１９に記憶される。ここで再生回数を１つ増加させる時期は、再生時間が所定の時間を超えた時に再生回数を増加させてもよいし、その音楽曲の再生が全て終了した時に再生回数を増加させてもよい。前述した所定の時間は、操作者によって、自由に設定されてもよいし、再生装置に予め設定されていてもよい。
【００２２】
再生回数記憶手段１９に記憶される再生回数Ｐｎは、表示手段１５に表示することができる。具体的には、再生回数記憶手段１９に再生回数が記憶されると、自動的に制御手段１６から表示手段１５に、その再生回数を示す再生回数情報が与えられることによって、再生回数を示す再生回数情報を表示させてもよいし、操作手段１４に、再生回数を表示させる指示を表す情報が入力され、制御手段１６が、その情報を受取り、その情報に基づいて、再生回数記憶手段１９に記憶される再生回数情報を読出し、表示手段１５に与えることによって、再生回数を表示させてもよい。
【００２３】
次にステップｓ４では、再生作業を終了するか否かの判定がなされる。この判定は、制御手段１６によって、操作者がステップｓ０で入力した音楽曲が全て再生されたか否かの判定によって達成される。ステップｓ０で操作者によって入力された再生希望の音楽曲が、全て再生されていない場合には、ステップｓ１に進み、ステップｓ１、ステップｓ２、ステップｓ３およびステップｓ４の動作が繰り返され、再生希望の音楽曲が全て再生されると、再生回数記憶手段１９における再生回数を１つ増加する動作および再生回数を記憶する動作が終了する。
【００２４】
図３は、再生情報選択手段１７における再生回数の少ない曲を選択し、再生する動作を示すフローチャートである。再生情報選択手段１７における再生回数の少ない曲を選択し、再生する動作は、操作者が、再生装置１０を再生回数の少ない曲を再生するモードに設定するために、操作手段１４を操作し、再生回数の少ない曲を再生するモードに設定する指示を表す情報を入力した状態で開始される。まずステップａ１では、再生装置１０が、再生回数の少ない曲を再生するモードに設定される。具体的には、制御手段１６が、操作手段１４から再生回数の少ない曲を再生するモードに設定する指示を表す情報を受取り、再生装置１０を再生回数の少ない曲を再生するモードに設定する。この時、表示手段１５に、再生装置１０が、再生回数の少ない曲を再生するモードに設定されたことを表す情報を表示させることができる。具体的には、制御手段１６が、再生回数の少ない曲を再生するモードに設定したことを表す情報を、表示手段１５に与え、表示手段１５が、その情報を受取ることによって、表示する。再生装置１０が再生回数の少ない曲を再生するモードに設定されると、ステップａ２に進む。ステップａ２では、基準回数設定手段１８によって、基準回数Ｓが設定される。ここで基準回数Ｓの値は、１以上総音楽曲数Ｎ以下の整数である。また総音楽曲数Ｎは、記録媒体１１に記録されている音楽曲の総数である。具体的には、制御手段１６によって、基準回数Ｓを入力するための操作を補助する情報が表示手段１５に与えられ、表示手段１５にその情報が表示される。操作者は、表示される情報に基づいて、基準回数Ｓを操作手段１４に入力する。入力される基準回数Ｓの情報は、操作手段１４から制御手段１６に、具体的には、基準回数設定手段１８に与えられ、基準回数Ｓが設定される。
【００２５】
基準回数設定手段１８によって設定される基準回数Ｓは、表示手段１５に表示することができる。具体的には、基準回数設定手段１８によって基準回数Ｓが設定されると、自動的に制御手段１６から表示手段１５に、その基準回数Ｓが与えられることによって、基準回数Ｓを表示させてもよいし、操作手段１４に、基準回数Ｓを表示させる指示を表す情報が入力され、制御手段１６が、その情報を受取り、その情報に基づいて、基準回数設定手段１８によって設定される基準回数Ｓを読出し、表示手段１５に与えることによって、基準回数Ｓを表示させてもよい。
【００２６】
基準回数設定手段１８によって基準回数Ｓが設定されるとステップａ３に進む。ステップａ３では、識別番号１に対応する音楽曲が選択される。本実施の形態では、再生装置１０は、記録媒体１１に記憶される音楽曲の中から、識別番号ｎの値が小さい順に、具体的には、識別番号１から順に、識別番号ｎに対応する音楽曲が、再生回数の少ない曲に該当するか否かを判定する。したがって初期値として、識別番号ｎの値が１に対応する音楽曲を選択する。識別番号１に対応する音楽曲が選択されるとステップａ４に進む。ステップａ４では、基準回数設定手段１８によって設定される基準回数Ｓと再生回数記憶手段１９に記憶される音楽曲の識別番号ｎに対応する再生回数Ｐｎの値とを比較し、音楽曲が、再生回数の少ない曲に該当するか否かが判定される。具体的には、識別番号ｎに対応する再生回数Ｐｎが、基準回数Ｓ以下であるか否かが判定され、再生回数Ｐｎが、基準回数Ｓ以下である場合には、再生回数Ｐｎに対応する音楽曲が再生回数の少ない曲と判定され、ステップａ５に進む。また識別番号ｎに対応する再生回数Ｐｎが、基準回数Ｓを超えている場合、再生回数Ｐｎに対応する音楽曲が再生回数の少ない曲ではないと判定されステップａ６に進む。ステップａ５では、識別番号ｎの音楽曲が再生され、ステップａ６に進む。ステップａ６では、ステップａ４で判定条件の対象となった音楽曲に対応する識別番号ｎの値と総音楽曲数Ｎの値とを比較する。具体的には、識別番号ｎの値と総音楽曲数Ｎの値とが一致するか否かが判定される。識別番号ｎの値と総音楽曲数Ｎの値とが一致しなければステップａ７進み、識別番号ｎの値と総音楽曲数Ｎの値とが一致するまで、具体的には、記録媒体１１に記録されている全ての音楽曲に対応する再生回数Ｐｎと基準回数Ｓの値との比較が終了するまでステップａ７、ステップａ４、ステップａ５およびステップａ６の動作が繰り返される。ステップａ７では、ステップａ４で判定条件の対象となった音楽曲の次の音楽曲が選択される。たとえばステップａ４で、識別番号１に対応する音楽曲が、判定の対象となっていた場合、ステップａ７で、次の音楽曲である識別番号２に対応する音楽曲が選択される。識別番号ｎの値と総音楽曲数Ｎの値とが一致すれば、再生情報選択手段１７における再生回数の少ない曲を選択し、再生する動作が終了する。
【００２７】
表１は、記録媒体１１に記録される識別番号ｎに対応する再生回数記憶手段１９に記憶される再生回数Ｐｎの一例を示す表である。
【００２８】
【表１】
2006164394.tif 000003
【００２９】
音楽曲の識別番号ｎに対応する再生回数Ｐｎが、表１のように再生回数記憶手段１９に記憶されおり、また図３のステップａ２で、基準回数Ｓの値にゼロが設定される場合における図３に示す再生情報選択手段１７における再生回数の少ない曲を選択し、再生する動作について説明する。
【００３０】
操作者が、再生装置１０を再生回数の少ない曲を再生するモードに設定するために、操作手段１４を操作し、再生回数の少ない曲を再生するモードに設定する指示を表す情報を入力した状態で、再生情報選択手段１７における再生回数の少ない曲を選択し、再生する動作が開始される。ステップａ１で、制御手段１６が、操作手段１４から再生回数の少ない曲を再生するモードに設定することを表す指示を受取り、再生装置１０を再生回数の少ない曲を再生するモードに設定する。再生装置１０が再生回数の少ない曲を再生するモードに設定されると、ステップａ２に進み、ステップａ２で、基準回数設定手段１８によって基準回数Ｓの値にゼロが設定される。具体的には、制御手段１６によって、基準回数Ｓを入力するための操作を補助する情報が表示手段１５に表示され、操作者は、表示される情報に基づいて、基準回数Ｓの値としてゼロを操作手段１４に入力する。入力される基準回数Ｓの情報は、制御手段１６に与えられ、基準回数設定手段１８によって基準回数Ｓとして設定される。基準回数設定手段１８によって基準回数Ｓの値がゼロとして設定されるとステップａ３に進む。ステップａ３で、識別番号１に対応する音楽曲が選択され、ステップａ４に進む。
【００３１】
ステップａ４では、基準回数設定手段１８によって設定される基準回数Ｓの値であるゼロと、識別番号１に対応する再生回数Ｐ１の値とを比較し、識別番号１に対応する音楽曲が、再生回数の少ない曲に該当するか否かが判定される。具体的には、識別番号１に対応する再生回数Ｐ１の値が、基準回数Ｓの値であるゼロ以下の条件を満たしているか否か、換言すれば、再生回数Ｐｎの値は、ゼロ以上の整数であるので、再生回数Ｐ１の値がゼロであるか否かが判定される。ここで識別番号１に対応する再生回数Ｐ１の値はゼロでないので、ステップａ６に進む。ステップａ６では、ステップａ４で判定条件の対象となった音楽曲に対応する識別番号ｎの値と総音楽曲数Ｎの値とが一致するか否か判定される。識別番号ｎの値は１であり、総音楽曲数Ｎの値は５であるので、これらの値は一致しないので、ステップａ７に進む。ステップａ７では、ステップａ４で判定条件の対象となった音楽曲の次の音楽曲、具体的には、識別番号２に対応する音楽曲が選択され、ステップａ４に進む。
【００３２】
ステップａ４では、基準回数Ｓの値であるゼロと、識別番号２に対応する再生回数Ｐ２の値を比較し、識別番号２に対応する音楽曲が、再生回数の少ない曲に該当するか否かが判定される。具体的には、識別番号２に対応する再生回数Ｐ２が、基準回数Ｓの値であるゼロ以下の条件を満たしているか否か、換言すれば、再生回数Ｐｎの値は、ゼロ以上の整数であるので、再生回数Ｐ２の値がゼロであるか否かが判定される。ここで識別番号２に対応する再生回数Ｐ２の値はゼロであり、ステップａ４での条件を満たすので、ステップａ５に進む。ステップａ５では、識別番号２に対応する音楽曲が再生され、ステップａ６に進む。ステップａ６では、ステップａ４で判定条件の対象となった音楽曲に対応する識別番号ｎの値と総音楽曲数Ｎの値とが一致するか否か判定される。識別番号ｎの値は２であり、総音楽曲数Ｎの値は５であるので、これらの値は一致しないので、ステップａ７に進む。ステップａ７では、ステップａ４で判定条件の対象となった音楽曲の次の音楽曲、具体的には、識別番号３に対応する音楽曲が選択され、ステップａ４に進む。
【００３３】
ステップａ４では、基準回数Ｓの値であるゼロと、識別番号３に対応する再生回数Ｐ３の値を比較し、識別番号３に対応する音楽曲が、再生回数の少ない曲に該当するか否かが判定される。具体的には、識別番号１に対応する再生回数Ｐ３が、基準回数Ｓの値であるゼロ以下の条件を満たしているか否か、換言すれば、再生回数Ｐｎの値は、ゼロ以上の整数であるので、再生回数Ｐ３の値がゼロであるか否かが判定される。ここで識別番号３に対応する再生回数Ｐ３の値はゼロでないので、ステップａ６に進む。ステップａ６では、ステップａ４で判定条件の対象となった音楽曲に対応する識別番号ｎの値と総音楽曲数Ｎの値とが一致するか否か判定される。識別番号ｎの値は３であり、総音楽曲数Ｎの値は５であるので、これらの値は一致しないので、ステップａ７に進む。ステップａ７では、ステップａ４で判定条件の対象となった音楽曲の次の音楽曲、具体的には、識別番号４に対応する音楽曲が選択され、ステップａ４に進む。
【００３４】
ステップａ４では、基準回数Ｓの値であるゼロと、識別番号４に対応する再生回数Ｐ４の値を比較し、識別番号４に対応する音楽曲が、再生回数の少ない曲に該当するか否かが判定される。具体的には、識別番号４に対応する再生回数Ｐ４が、基準回数Ｓの値であるゼロ以下の条件を満たしているか否か、換言すれば、再生回数Ｐｎの値は、ゼロ以上の整数であるので、再生回数Ｐ４の値がゼロであるか否かが判定される。ここで識別番号４に対応する再生回数Ｐ４の値はゼロなので、ステップａ４での判定条件を満たすので、ステップａ５に進む。ステップａ５では、識別番号４の曲が再生され、ステップａ６に進む。ステップａ６では、ステップａ４で判定条件の対象となった音楽曲に対応する識別番号ｎの値と総音楽曲数Ｎの値とが一致するか否か判定される。識別番号ｎの値は４であり、総音楽曲数Ｎの値は５であるので、これらの値は一致しないので、ステップａ７に進む。ステップａ７では、ステップａ４で判定条件の対象となった音楽曲の次の音楽曲、具体的には、識別番号５に対応する音楽曲が選択され、ステップａ４に進む。
【００３５】
ステップａ４では、基準回数Ｓの値であるゼロと、識別番号５に対応する再生回数Ｐ５の値を比較し、識別番号５に対応する音楽曲が、再生回数の少ない曲に該当するか否かが判定される。具体的には、識別番号５に対応する再生回数Ｐ５が、基準回数Ｓの値であるゼロ以下の条件を満たしているか否か、換言すれば、再生回数Ｐｎの値は、ゼロ以上の整数であるので、再生回数Ｐ５の値がゼロであるか否かが判定される。ここで識別番号５に対応する再生回数Ｐ５の値はゼロでないので、ステップａ６に進む。ステップａ６では、ステップａ４で判定条件の対象となった音楽曲に対応する識別番号ｎの値と総音楽曲数Ｎの値とが一致するか否か判定される。識別番号ｎの値は５であり、総音楽曲数Ｎの値は５であるので、これらの値は一致する。したがってステップａ６の条件を満たし、再生情報選択手段１７における再生回数の少ない曲を選択し、再生する動作が終了する。換言すれば、記録媒体１１に記録される全ての音楽曲が、再生回数の少ない曲に該当するか否かの判定が全て終了し、再生情報選択手段１７における再生回数の少ない曲を選択し、再生する動作が終了する。したがって音楽曲の識別番号ｎに対応する再生回数Ｐｎが、表１のように再生回数記憶手段１９に記憶されおり、また図３のステップａ２で、基準回数Ｓの値にゼロが設定された場合においては、再生回数の少ない曲として選択され、再生される音楽曲は、識別番号２および識別番号４ｎに対応する音楽曲である。
【００３６】
また同様に、音楽曲の識別番号ｎに対応する再生回数Ｐｎが、表１のように再生回数記憶手段１９に記憶されおり、図３のステップａ２で、基準回数Ｓの値に１が設定される場合においては、再生回数の少ない曲として選択され、再生される音楽曲は、識別番号１、識別番号２、識別番号４および識別番号５に対応する音楽曲である。
【００３７】
記録媒体１１には、操作者が記録させた順に音楽曲が記録され、また識別番号ｎの値が小さい順に、具体的には、識別番号１から順に、識別番号ｎに対応して音楽曲が記録される。このような記録媒体１１が設けられる再生装置１０を用いることによって、記録媒体１１に記録された音楽曲の順に、換言すれば、記録媒体１１に記録され、長い時間経過している音楽曲から、優先して、再生回数の少ない音楽曲に該当するか否かを判定することができる。
【００３８】
本実施の形態によれば、再生装置１０では、複数の音楽曲が記録される記録媒体１１から、再生手段１２によって音楽曲を読出して再生することができる。再生装置１０には、各音楽曲の再生回数を示す再生回数情報を記憶する再生回数記憶手段１９が設けられており、再生情報選択手段１７によって、各音楽曲の再生回数が、予め設定される回数と一致する音楽曲を自動的に選択して再生手段１２に再生させることができる。これによって記録媒体１１に記録される複数の音楽曲の中から、再生回数の少ない音楽曲、換言すれば再生頻度の低い音楽曲を自動的に選択して再生することができる。したがって記録媒体１１に記録されているが、ほとんど再生されない音楽曲が存在してしまうことを防止することができ、利便性の高い再生装置を実現することができる。
【００３９】
また基準回数設定手段１８によって基準回数を設定することができ、再生情報選択手段１７によって、再生回数が基準回数以下である音楽曲を自動的に選択して、再生手段１２に再生させることができる。これによって記録媒体１１に記録される複数の音楽曲の中から、再生回数の少ない音楽曲を自動的に選択して再生することができ、利便性の高い再生装置を実現することができる。
【００４０】
さらに操作者による操作手段１４の操作によって回数が入力され、基準回数設定手段１８によって、操作者による操作手段１４の操作によって入力される回数が、基準回数として設定される。したがって操作者が、任意に基準回数を設定することができ、再生回数がその基準回数以下の音楽曲を自動的に選択して再生させることができる。このように操作者の意図を反映させることができ、利便性を高くすることができる。
【００４１】
前述の実施の形態は、本発明の例示に過ぎず、構成を変更することができる。たとえば再生装置１０には、再生回数記憶手段１９を設けなくてもよく、再生回数記憶手段１９を設けない場合、再生回数Ｐｎは、記録媒体１１に記録させてもよい。また基準回数Ｓを記録媒体１１に記録させてもよい。また図３のステップａ３において、識別番号ｎの値を操作者が自由に設定できるような構成をとってもよい。識別番号ｎの値を操作者が自由に設定できるような構成をとった場合、再生回数の少ない曲を選択し、再生する動作を途中で中断した場合においても、中断した音楽曲から、再生回数の少ない曲を選択し、再生する動作を開始することができる。また図３に示すステップａ５の動作の後に、再生される音楽曲の識別番号ｎに対応する再生回数Ｐｎを１つ増加する構成をとってもよい。再生回数Ｐｎを１つ増加する構成をとる場合、図３に示すステップａ５とステップａ６との間に、図２のステップｓ２およびステップｓ３に示す処理動作の工程を設ける。図２のステップｓ２およびステップｓ３に示す処理動作の工程を設けることによって、再生回数記憶手段に記憶される再生回数Ｐｎに、再生回数の少ない曲が再生された結果を反映することができ、記憶媒体１１に記録される音楽曲の再生回数を把握する事ができる。さらに図３に示すステップａ５とステップａ６との間において、再生される音楽曲を削除する処理工程を設けてもよい。具体的には、ステップａ５で識別番号ｎの音楽曲が再生された後に、制御手段１６によって、削除操作を補助する情報が表示手段１５に与えられ、表示される。操作者は、表示手段１５に表示される情報に基づいて、ステップａ５で再生された音楽曲を削除したい場合には、操作手段１４に削除する指示を表す情報を入力する。削除する指示を表す情報は、操作手段１４から制御手段１６に与えられる。操作手段１４から与えられる削除指示を表す情報に基づいて、制御手段１６は、削除指示の対象となっている音楽曲を記録媒体１１から呼出し、削除する。したがって不要な情報を削除することができ、記録媒体１１の記録容量を有効に利用することができる。
【図面の簡単な説明】
【００４２】
【図１】本発明の実施の一形態である再生装置１０を示すブロック図である。
【図２】再生回数記憶手段１９における再生回数を１つ増加する動作および増加された再生回数を記憶する動作を示すフローチャートである。
【図３】再生情報選択手段１７における再生回数の少ない曲を選択し、再生する動作を示すフローチャートである。
【図４】従来の技術の再生装置１を示すブロック図である。
【符号の説明】
【００４３】
１０  再生装置
１１  記録媒体
１２  再生手段
１３  出力手段
１４  操作手段
１５  表示手段
１６  制御手段
１７  再生情報選択手段
１８  基準回数設定手段
１９  再生回数記憶手段
【図１】
2006164394.tif 000004
【図２】
2006164394.tif 000005
【図３】
2006164394.tif 000006
【図４】
2006164394.tif 000007